(57)【特許請求の範囲】
【請求項１】
携帯端末から、一時的情報を含むシステム情報コンテナを携帯端末が記憶していることを示す一時的記憶情報インジケータを受信することと；
前記一時的記憶情報インジケータの受信に基づいて、前記一時的情報を非一時的情報と置換するかどうかを決定することと；
を含む、方法。
【請求項２】
前記一時的記憶情報インジケータのためのサポート表示子を、前記携帯端末に提供することをさらに含む、請求項１に記載の方法。
【請求項３】
前記サポート表示子は、新たな情報要素または既存の情報要素を有する、請求項２に記載の方法。
【請求項４】
前記一時的記憶情報インジケータは、新たな情報要素または既存の情報要素を有する、請求項１から３のいずれかに記載の方法。
【請求項５】
前記一時的情報は、完全隣接セルリストの一部である仮の隣接セルリストを有する、請求項１から４のいずれかに記載の方法。
【請求項６】
前記非一時的情報は完全隣接セルリストを含む、請求項１から５のいずれかに記載の方法。
【請求項７】
前記一時的記憶情報インジケータを受信することは、ターゲットセルへの接続に関する条件規定が満たされることを示す情報を受信することを含む、請求項１から６のいずれかに記載の方法。
【請求項８】
前記一時的情報を置換するかどうかを決定することは、さらに、前記一時的記憶情報インジケータの受信に基づいて、接続確立手続の間に前記携帯端末をＣＥＬＬ＿ＤＣＨ状態またはＣＥＬＬ＿ＦＡＣＨ状態に移行することを開始するかどうかを決定することを含む、請求項１から７のいずれかに記載の方法。
【請求項９】
少なくとも１つのプロセッサと、コンピュータプログラムコードを格納する少なくとも１つのメモリとを備える装置であって、前記少なくとも１つのメモリおよび前記コンピュータプログラムコードは、前記少なくとも１つのプロセッサと共に、前記装置に、少なくとも、
携帯端末から、一時的情報を含むシステム情報コンテナを携帯端末が記憶していることを示す一時的記憶情報インジケータを受信することと；
前記一時的記憶情報インジケータの受信に基づいて、前記一時的情報を非一時的情報と置換するかどうかを決定することと；
を行わせるように構成される、装置。
【請求項１０】
前記少なくとも１つのメモリおよび前記コンピュータプログラムコードは、さらに、前記少なくとも１つのプロセッサと共に、前記装置に、前記一時的記憶情報インジケータのためのサポート表示子を前記携帯端末に提供させるように構成された請求項９に記載の装置。
【請求項１１】
前記サポート表示子は、新たな情報要素または既存の情報要素を有する、請求項１０に記載の装置。
【請求項１２】
前記一時的記憶情報インジケータは、新たな情報要素または既存の情報要素を有する、請求項９から１1のいずれかに記載の装置。
【請求項１３】
前記一時的情報は、完全隣接セルリストの一部である仮の隣接セルリストを有する、請求項９から１２のいずれかに記載の装置。
【請求項１４】
前記非一時的情報は完全隣接セルリストを含む、請求項９から１３のいずれかに記載の装置。
【請求項１５】
前記少なくとも１つのメモリおよび前記コンピュータプログラムコードは、前記少なくとも１つのプロセッサと共に、前記装置に、ターゲットセルへの接続に関する条件規定が満たされることを示す情報を受信することによって、前記一時的記憶情報インジケータを受信させるように構成される、請求項９から１４のいずれかに記載の装置。
【請求項１６】
前記少なくとも１つのメモリおよび前記コンピュータプログラムコードは、さらに、前記少なくとも１つのプロセッサと共に、前記装置に、前記一時的記憶情報インジケータの受信に基づいて、接続確立手続の間に前記携帯端末をＣＥＬＬ＿ＤＣＨ状態またはＣＥＬＬ＿ＦＡＣＨ状態に移行することを開始するかどうかを決定させるように構成される、請求項９から１５のいずれかに記載の装置。
【請求項１７】
装置のプロセッサに実行されることにより、前記装置に、
携帯端末から、一時的情報を含むシステム情報コンテナを携帯端末が記憶していることを示す一時的記憶情報インジケータを受信することと；
前記一時的記憶情報インジケータの受信に基づいて、前記一時的情報を非一時的情報と置換するかどうかを決定することと；
を実行させるコードを備える、コンピュータプログラム。
【請求項１８】
前記プロセッサに実行されることにより、前記装置に、前記一時的記憶情報インジケータのためのサポート表示子を前記携帯端末に提供させるコードをさらに備える、請求項１７に記載のコンピュータプログラム。
【請求項１９】
前記サポート表示子は、新たな情報要素または既存の情報要素を有する、請求項１８に記載のコンピュータプログラム。
【請求項２０】
前記一時的記憶情報インジケータは、新たな情報要素または既存の情報要素を有する、請求項１７から１９のいずれかに記載のコンピュータプログラム。
【請求項２１】
前記一時的情報は、完全隣接セルリストの一部である仮の隣接セルリストを有する、請求項１７から２０のいずれかに記載のコンピュータプログラム。
【請求項２２】
前記非一時的情報は完全隣接セルリストを含む、請求項１７から２１のいずれかに記載のコンピュータプログラム。
【請求項２３】
前記一時的記憶情報インジケータを受信させるコードは、ターゲットセルへの接続に関する条件規定が満たされることを示す情報を受信させるコードを含む、請求項１７から２２のいずれかに記載のコンピュータプログラム。
【請求項２４】
前記一時的情報を置換するかどうかを決定させるコードは、前記一時的記憶情報インジケータの受信に基づいて、接続確立手続の間に前記携帯端末をＣＥＬＬ＿ＤＣＨ状態またはＣＥＬＬ＿ＦＡＣＨ状態に移行することを開始するかどうかを決定させるコードを含む、請求項１７から２３のいずれかに記載のコンピュータプログラム。
【請求項２５】
携帯端末から、一時的情報を含むシステム情報コンテナを携帯端末が記憶していることを示す一時的記憶情報インジケータを受信する手段と；
前記一時的記憶情報インジケータの受信に基づいて、前記一時的情報を非一時的情報と置換するかどうかを決定する手段と；
を備える、装置。
【請求項２６】
前記一時的記憶情報インジケータのためのサポート表示子を、前記携帯端末に提供する手段をさらに備える、請求項２５に記載の装置。
【請求項２７】
前記サポート表示子は、新たな情報要素または既存の情報要素を有する、請求項２６に記載の装置。
【請求項２８】
前記一時的記憶情報インジケータは、新たな情報要素または既存の情報要素を有する、請求項２５から２７のいずれかに記載の装置。
【請求項２９】
前記一時的情報は、完全隣接セルリストの一部である仮の隣接セルリストを有する、請求項２５から２８のいずれかに記載の装置。
【請求項３０】
前記非一時的情報は完全隣接セルリストを含む、請求項２５から２９のいずれかに記載の装置。
【請求項３１】
前記一時的記憶情報インジケータを受信する手段は、ターゲットセルへの接続に関する条件規定が満たされることを示す情報を受信する手段を備える、請求項２５から３０のいずれかに記載の装置。
【請求項３２】
前記一時的情報を置換するかどうかを決定する手段は、さらに、前記一時的記憶情報インジケータの受信に基づいて、接続確立手続の間に前記携帯端末をＣＥＬＬ＿ＤＣＨ状態またはＣＥＬＬ＿ＦＡＣＨ状態に移行することを開始するかどうかを決定する手段を備える、請求項２５から３１のいずれかに記載の装置。
【請求項３３】
少なくとも１つのターゲットセルに対するシステム情報コンテナを受信することと；
前記システム情報コンテナの記憶を生じさせることと；
携帯端末において、一時的情報を含む前記システム情報コンテナを前記携帯端末が記憶していることを示す一時的記憶情報インジケータを生成することであって、前記一時的記憶情報インジケータは、前記一時的情報を非一時的情報と置換するかどうかを決定するために利用される、前記生成することと；
を含む、方法。
【請求項３４】
前記システム情報コンテナを受信することは、前記一時的記憶情報インジケータのためのサポート表示子を受信することを含む、請求項３３に記載の方法。
【請求項３５】
前記サポート表示子は、新たな情報要素または既存の情報要素を有する、請求項３４に記載の方法。
【請求項３６】
前記一時的記憶情報インジケータを生成することは、前記サポート表示子の受信に応答して遂行される、請求項３４または３５に記載の方法。
【請求項３７】
前記一時的記憶情報インジケータは、新たな情報要素または既存の情報要素を有する、請求項３３から３６のいずれかに記載の方法。
【請求項３８】
前記一時的情報は、完全隣接セルリストの一部である仮の隣接セルリストを有する、請求項３３から３７のいずれかに記載の方法。
【請求項３９】
前記非一時的情報は完全隣接セルリストを含む、請求項３３から３８のいずれかに記載の方法。
【請求項４０】
前記一時的記憶情報インジケータを生成することは、ターゲットセルへの接続に関する条件規定が満たされていることを示すインジケータを生成することを含む、請求項３３から３９のいずれかに記載の方法。
【請求項４１】
少なくとも１つのプロセッサと、コンピュータプログラムコードを格納する少なくとも１つのメモリとを備える装置であって、前記少なくとも１つのメモリおよび前記コンピュータプログラムコードは、前記少なくとも１つのプロセッサと共に、前記装置に、少なくとも、
少なくとも１つのターゲットセルに対するシステム情報コンテナを受信することと；
前記システム情報コンテナの記憶を生じさせることと；
携帯端末において、一時的情報を含む前記システム情報コンテナを前記携帯端末が記憶していることを示す一時的記憶情報インジケータを生成することであって、前記一時的記憶情報インジケータは、前記一時的情報を非一時的情報と置換するかどうかを決定するために利用される、前記生成することと；
を行わせるように構成される装置。
【請求項４２】
前記少なくとも１つのメモリおよび前記コンピュータプログラムコードは、さらに、前記少なくとも１つのプロセッサと共に、前記装置に、前記一時的記憶情報インジケータのためのサポート表示子を受信することによって、前記システム情報コンテナを受信させるように構成される、請求項４１に記載の装置。
【請求項４３】
前記サポート表示子は、新たな情報要素または既存の情報要素を有する、請求項４２に記載の装置。
【請求項４４】
前記少なくとも１つのメモリおよび前記コンピュータプログラムコードは、さらに、前記少なくとも１つのプロセッサと共に、前記装置に、前記サポート表示子の受信に応答して、前記一時的記憶情報インジケータを生成させるように構成される、請求項４２または４３に記載の装置。
【請求項４５】
前記一時的記憶情報インジケータを生成する手段は、前記サポート表示子の受信に応答して動作する、請求項４２から４４のうちいずれかに記載の装置。
【請求項４６】
前記一時的記憶情報インジケータは、新たな情報要素または既存の情報要素を有する、請求項４１から４５のいずれかに記載の装置。
【請求項４７】
前記一時的情報は、完全隣接セルリストの一部である仮の隣接セルリストを有する、請求項４１から４６のいずれかに記載の装置。
【請求項４８】
前記非一時的情報は完全隣接セルリストを含む、請求項４１から４７のいずれかに記載の装置。
【請求項４９】
前記少なくとも１つのメモリおよび前記コンピュータプログラムコードは、前記少なくとも１つのプロセッサと共に、前記装置に、ターゲットセルへの接続に関する条件規定が満たされていることを示すインジケータを生成することによって、前記一時的記憶情報インジケータを生成されるように構成される、請求項４１から４８のいずれかに記載の装置。
【請求項５０】
装置のプロセッサに実行されることにより、前記装置に、
少なくとも１つのターゲットセルに対するシステム情報コンテナを受信することと；
前記システム情報コンテナの記憶を生じさせることと；
携帯端末において、一時的情報を含む前記システム情報コンテナを前記携帯端末が記憶していることを示す一時的記憶情報インジケータを生成することであって、前記一時的記憶情報インジケータは、前記一時的情報を非一時的情報と置換するかどうかを決定するために利用される、前記生成することと；
を実行させるコードを備える、コンピュータプログラム。
【請求項５１】
前記システム情報コンテナを受信させるコードは、前記一時的記憶情報インジケータのためのサポート表示子を受信させるコードを含む、請求項５０に記載のコンピュータプログラム。
【請求項５２】
前記サポート表示子は、新たな情報要素または既存の情報要素を有する、請求項５１に記載のコンピュータプログラム。
【請求項５３】
前記一時的記憶情報インジケータを生成することは、前記サポート表示子の受信に応答して遂行される、請求項５１または５２に記載のコンピュータプログラム。
【請求項５４】
前記一時的記憶情報インジケータは、新たな情報要素または既存の情報要素を有する、請求項５０から５３のいずれかに記載のコンピュータプログラム。
【請求項５５】
前記一時的情報は、完全隣接セルリストの一部である仮の隣接セルリストを有する、請求項５０から５４のいずれかに記載のコンピュータプログラム。
【請求項５６】
前記非一時的情報は完全隣接セルリストを含む、請求項５０から５５のいずれかに記載のコンピュータプログラム。
【請求項５７】
前記一時的記憶情報インジケータを生成させるコードは、ターゲットセルへの接続に関する条件規定が満たされていることを示すインジケータを生成させるコードを含む、請求項５０から５６のいずれかに記載のコンピュータプログラム。
【請求項５８】
少なくとも１つのターゲットセルに対するシステム情報コンテナを受信する手段と；
前記システム情報コンテナの記憶を生じさせるための手段と；
携帯端末において、一時的情報を含む前記システム情報コンテナを前記携帯端末が記憶していることを示す一時的記憶情報インジケータを生成する手段であって、前記一時的記憶情報インジケータは、前記一時的情報を非一時的情報と置換するかどうかを決定するために利用される、前記生成する手段と、を備える、装置。
【請求項５９】
前記システム情報コンテナを受信する手段は、前記一時的記憶情報インジケータのためのサポート表示子を受信する手段を備える、請求項５８に記載の装置。
【請求項６０】
前記サポート表示子は、新たな情報要素または既存の情報要素を有する、請求項５９に記載の装置。
【請求項６１】
前記一時的記憶情報インジケータは、新たな情報要素または既存の情報要素を有する、請求項５８から６０のいずれかに記載の装置。
【請求項６２】
前記一時的情報は、完全隣接セルリストの一部である仮の隣接セルリストを有する、請求項５８から６１のいずれかに記載の装置。
【請求項６３】
前記非一時的情報は完全隣接セルリストを含む、請求項５８から６２のいずれかに記載の装置。
【請求項６４】
前記一時的記憶情報インジケータを生成する手段は、ターゲットセルへの接続に関する条件規定が満たされていることを示すインジケータを生成する手段を備える、請求項４１から４９のいずれかに記載の装置。
【発明の詳細な説明】
【技術分野】
【０００１】
本発明の実施形態は、大きくはワイヤレス通信技術に関し、より具体的には、リダイレクトの間に記憶された一時的な情報（ｔｅｍｐｏｒａｒｙな情報）の表示子を用いる装置および方法に関する。
【背景】
【０００２】
現代の通信は、有線およびワイヤレスネットワークの驚異的な拡大をもたらしている。コンピュータネットワーク、テレビネットワーク、およびテレフォニーネットワークは、消費者需要に加速された前例のない技術的発展を経験している。ワイヤレスおよびモバイルネットワーキング技術は、情報伝送に多くの柔軟性や即時性を提供しつつ、関連する消費者需要に対処している。
【０００３】
現在および将来のネットワーキング技術は、情報転送の容易性やユーザへの利便性を向上し続ける。より容易または高速な情報転送や、利便性を提供するために、通信サービスプロバイダは、既存のネットワークを強化し続けている。例えば現在では、ユニバーサル移動通信システム（ＵＭＴＳ）や地上無線アクセスネットワーク（ＵＴＲＡＮ）、ＧＥＲＡＮ（ＧＳＭ／ＥＤＧＥ無線アクセスネットワーク）システムが開発されている。ロング・ターム・エボリューション（ＬＴＥ）または３．９Ｇとしても知られる、Ｅ−ＵＴＲＡＮ（進化型ＵＴＲＡＮ）は、効率性を改善すること、コストを低下させること、サービスを改善すること、新たなスペクトル機会を活用すること、および他のオープン規格とのより良好な統合を提供することによって、先行技術をアップグレードすることを目指している。
【０００４】
他の先行する通信規格と共有され続ける、現在開発中の通信システムの利点は、ユーザが移動可能性を維持しつつ、かかる規格を採用するネットワークにアクセスすることが可能であるという点である。このため、例えば、かかる規格に従って通信する態勢が整っている携帯端末（またはユーザ機器（ＵＥ））を有するユーザは、ネットワークとの通信を維持しつつ広大な距離を移動しうる。ユーザの移動性を可能にしつつ、ユーザにアクセスを提供することによって、ユーザが移動中であってもサービスが提供されうる。
【０００５】
通信システムの基本アーキテクチャは、様々なノードと通信するコアを有することができる。このノードは、例えば基地局やアクセスポイント、ノードＢ（ＮＢ）、進化型ノードＢ（ｅＮＢ）などであることができ、コアは例えば第３世代（３Ｇ）コアや進化型パケットコア（ＥＰＣ）、または同様のものであることができる。ノードの各々は、エアインターフェース上で、セルとして定義される（１又は複数の）特定の領域に送信することができる。各ノードは対応するセルを定義してもよく、通信範囲はそれぞれのノードによって提供される。このため、ある地理的領域には、複数のセルによって定義される範囲が含まれてもよい。さらに、現在は複数の無線アクセスネットワークが同時に使われていることを考えると、異なる無線アクセス技術（ＲＡＴ）のセルが重複する可能性がある。
【０００６】
第３世代パートナシッププロジェクト（３ＧＰＰ）リリース８のシステムアーキテクチャエボリューション（ＳＡＥ）は、ＬＴＥのためのパケット交換（ＰＳ）コアネットワークアーキテクチャを定めている。定義により、音声やショートメッセージサービス（ＳＭＳ）、ＵＤＩ等の回線交換（ＣＳ）サービスは、ＰＳのみのコアネットワークにおいては利用可能ではない。このため、ページやＣＳサービス要求等の、着信や発信のＣＳサービス表示子（Ｓｅｒｖｉｃｅ  Ｉｎｄｉｃａｔｉｏｎ）がいつ存在しようとも、ＣＳサービスは、端末（例えばＵＥ）が、ＬＴＥ／ＳＡＥドメインから（ＧＥＲＡＮやＵＴＲＡＮなどの）レガシーＲＡＴのＣＳドメインに移動した（もしくはフォールバックした）場合にのみ利用可能である場合がある。
【０００７】
これまで、ＣＳフォールバック機能（ＣＳ  ｆａｌｌｂａｃｋ  ｃａｐａｂｉｌｉｔｙ）を確立することは、端末を、ＣＳサービス表示子に応答して、ＣＳドメインサポートが存在するレガシーＲＡＴに移動するようにトリガするための単純な手続として定義されている。ＰＳハンドオーバやリダイレクトを含む、２つの主なＲＡＴ変更方法が提唱されている。リダイレクトはＥ−ＵＴＲＡＮに関する方法であり、どのＲＡＴおよび搬送波に端末が移動すべきかを示すリダイレクト情報を含んだメッセージ（例えばＲＲＣ  ＣＯＮＮＥＣＴＩＯＮ  ＲＥＬＥＡＳＥメッセージ）を送信する。しかし、無線ネットワークリソースに関して、効率的な様態で、リダイレクトを実装することが望ましいであろう。
【摘要】
【０００８】
したがって、フォールバック機能の効率的な実装を可能にしうる、本発明のある実施形態が提供される。具体的には、本発明のある実施形態は、フォールバックシナリオの間に、リダイレクトに関連して用いられるべき一時的記憶情報のインジケータの使用を提供しうる。そのようなものとして、例えば、一時的記憶情報のインジケータは、リダイレクトの間に、短くされた又は簡単化された隣接セルリストの提供を可能にするように使用されてもよい。隣接セルリストは、ネットワークの効率性を改善するべく、リダイレクト後に更新されてもよい。
【図面の簡単な説明】
【０００９】
上のように本発明を一般的に説明したが、ここで添付の図面を参照する。これらは必ずしも実際の寸法に則して描かれてはいない、
【００１０】
【図１】本発明の例示的な実施形態に従う、携帯端末の概略的ブロック図である。
【００１１】
【図２】本発明の例示的な実施形態に従う、ワイヤレス通信システムの概略的ブロック図である。
【００１２】
【図３】本発明の例示的な実施形態に従う、記憶済み一時的情報の表示子をリダイレクトの際に用いるシステムの概略的ブロック図である。
【００１３】
【図４】本発明の例示的な実施形態に従う、記憶済み一時的情報の表示子をリダイレクトの際に用いるネットワーク側の装置を示すブロック図である。
【００１４】
【図５】本発明の例示的な実施形態に従う、記憶済み一時的情報の表示子をリダイレクトの際に用いる端末側の装置を示すブロック図である。
【００１５】
【図６】本発明の例示的な実施形態に従う、メッセージ交換の基本的な様子を示す制御流れ図である。
【００１６】
【図７】本発明の例示的な実施形態に従う、記憶済み一時的情報の表示子をリダイレクトの際に用いる方法に従う、フローチャートである。
【００１７】
【図８】本発明の例示的な実施形態に従う、記憶済み一時的情報の表示子をリダイレクトの際に用いる代替的な方法に従う、フローチャートである。
【詳細説明】
【００１８】
以下、添付の図面を参照して、本発明の特定の実施形態をより完全に説明する。添付の図面に示されているものは、本発明の全ての実施形態ではなく、一部である。実際、本発明の様々な実施形態は、多くの異なる形態によって具現化されることができ、本発明の実施形態は、本明細書において記載されるものに制限されると解釈されるべきではない。むしろ、これらの実施形態は、本明細書による開示が、適用される法的必要条件を満たしうるように提供される。同様の参照番号は、全体を通して、同様の要素を指す。本明細書において使用される際、「データ」、「コンテンツ」、「情報」という用語、および類似の用語は、本発明の実施形態に従って送信、受信、および／または記憶されることが可能なデータを指すために、同義的に使用されてもよい。このため、任意のかかる用語の使用は、本発明の実施形態の思想および範囲を制限するとみなされるべきではない。
【００１９】
さらに、本明細書において使用される際、「回路」という用語は、（ａ）ハードウェアのみの回路実装（例えばアナログ回路および／またはデジタル回路における実装）；（ｂ）回路と、装置に、本明細書において説明される１つ以上の機能を遂行させるように前記回路と協働する、１つ以上のコンピュータ可読メモリ上に記憶されたソフトウェアおよび／またはファームウェア命令を備える（１つまたは複数の）コンピュータプログラムとの組み合わせ；（ｃ）ソフトウェアまたはファームウェア（物理的には存在しない場合でも）を動作するために必要とする、（１つまたは複数の）マイクロプロセッサ、または、（１つまたは複数の）マイクロプロセッサ（複数を含む）の一部分のような回路；を指す。「回路」のこの定義は、全ても請求項も含む本願出願書類における当該用語の全ての使用に適用される。さらなる例として、本明細書において使用される際、「回路」という用語はまた、１つ以上のプロセッサおよび／または（１つまたは複数の）その部分、ならびに付随するソフトウェアおよび／またはファームウェアを備える、実装を含む。別の例として、本明細書において使用される際、「回路」という用語はまた、例えば、携帯電話のためのベースバンド集積回路、もしくはアプリケーションプロセッサ集積回路、またはサーバ、セルラネットワークデバイス、他のネットワークデバイス、及び／又は他のコンピューティングデバイスにおける、類似の集積回路を含む。
【００２０】
本明細書において、「コンピュータ可読記憶媒体」との用語は、非一時的な物理記憶媒体（例えば揮発性または非揮発性メモリデバイス）を指し、電磁信号を指す「コンピュータ可読送信媒体」とは区別することができる。
【００２１】
上で示されるように、本発明のある実施形態は、ＣＳフォールバックオプションとしてのリダイレクトの実装に関してもよい。Ｅ−ＵＴＲＡＮは、通常、リダイレクトの間に、リダイレクト情報を識別する無線リソース制御（Ｒａｄｉｏ  Ｒｅｓｏｕｒｃｅ  Ｃｏｎｔｒｏｌ；ＲＲＣ）接続解放メッセージを送信する。リダイレクト情報は、例えば、個々のターゲットセルを識別するシステム情報のための、システム情報コンテナを備えてもよい。システム情報コンテナは、システム情報ブロック（Ｓｙｓｔｅｍ  Ｉｎｆｏｒｍａｔｉｏｎ  Ｂｌｏｃｋ；ＳＩＢ）（例えばＳＩＢ１，３，５，７）や、隣接セルリストを備えてもよい。隣接セルリスト（例えばＳＩＢ１１，１１ｂｉｓ，及び／又は１２）は、呼または接続を維持するのに好適なセルを選択するためにリダイレクトされている携帯端末によって使用されてもよい。ＳＩＢ１，３，５，７は動的に更新されないため、それらは通常、Ｅ−ＵＴＲＡＮ内で維持するのは比較的容易である。しかし、隣接セルリストはかなり大きくなる可能性がある。また、ネットワークオペレータが、セルを追加または除去することによってＵＴＲＡセル展開を頻繁に変更しうるため、隣接セルリストはダイナミックに更新されうる。さらに、実施例によっては、１つのセルは９６個までの隣接セルを有することがある。
【００２２】
ネットワーク支援型セル変更を提供するための１つのソリューションは、ＲＡＮ情報管理（ＲＡＮ  ｉｎｆｏｒｍａｔｉｏｎ  ｍａｎａｇｅｍｅｎｔ；ＲＩＭ）と称される。しかしＲＩＭは、実装に相当の努力を必要とし、完全にはサポートされていない場合があり、したがって、完全には互換性がない場合がある。端末によって遂行されるデファード測定（Ｄｅｆｅｒｒｅｄ  ｍｅａｓｕｒｅｍｅｎｔ）もまた、以前から提言されている。デファード測定は、（ＳＩＢ１１や１１ｂｉｓ、１２のいずれかがサービングセル上でスケジュールされていたとしても、）ＳＩＢ１１や１１ｂｉｓ、１２を取得する前にＲＣ接続確立を開始しようとする端末に関与する。接続確立の開始後、端末は、ＳＩＢ１１，１１ｂｉｓ，または１２を取得し続ける。
【００２３】
実施形態によっては、まず仮の隣接セルリスト（一時的な隣接セルリスト）が提供されてもよく、次に完全な隣接セルリストが、リダイレクト手続の完了後に提供されてもよい。したがって、完全な隣接セルリストの提供に要する帯域消費は、リダイレクトが完了するまで繰り延ばされてもよい。さらに、本発明のある実施形態は、最初に提供される仮の隣接セルを記憶し、限られた期間は仮の隣接セルを使用するように、端末を構成してもよい。端末はその後、仮の隣接セルリストが記憶されているということを表すために、ネットワークに表示子を提供してもよい。次いでネットワークは、その表示子の受信に応答して、仮の隣接セルリストを完全なリストに置換してもよい。したがって、例えば、完全隣接セルリストの送信は、適切な状況を除き、回避されうる。
【００２４】
本発明の１つの例示的な実施形態である図１は、本発明の実施形態から利益を享受するであろう携帯端末１０のブロック図である。しかし、例示され、以降で説明されるような携帯端末１０は、本発明の実施形態から利益を享受することができるデバイスの１つのタイプを例示するに過ぎず、したがって、本発明の実施形態の範囲を制限すると見なされるべきではないということを理解されたい。そのようなものとして、可搬型デジタル補助装置（ＰＤＡ）、携帯電話器、ページャ、携帯テレビ、ゲーミングデバイス、ラップトップコンピュータ、カメラ、ビデオレコーダ、オーディオ／ビデオプレーヤ、ラジオ、位置決定デバイス（例えばグローバル位置決定システム（ＧＰＳ）デバイス、または前述のものの任意の組み合わせ、ならびに他のタイプの音声およびテキスト通信システムといった、多数のタイプの携帯端末が、本発明の実施形態を容易に採り入れうる。
【００２５】
携帯端末１０は、送信器１４および受信器１６と協働して通信するアンテナ１２（または多重アンテナ）を備えてもよい。携帯端末１０は、それぞれ送信器１４および受信器１６へ信号を提供し、また送信器１４および受信器１６から信号を受信する、コントローラ２０等の処理デバイスといった装置をさらに備えてもよい。信号は、適用されるセルラシステムのエアインターフェース規格に従うシグナリング情報や、ユーザ音声、受信されたデータ、ユーザ生成データもまた含む。この点において、携帯端末１０は、１つ以上のエアインターフェース規格、通信プロトコル、変調タイプ、およびアクセスタイプとともに動作することができる。例示目的で、携帯端末１０は、多くの第１、第２、第３、および／または第４世代通信プロトコルまたは同様のもののうちのいずれかに従って、動作することができる。例えば、携帯端末１０は、第２世代（２Ｇ）ワイヤレス通信プロトコルＩＳ−１３６（時分割多重アクセス（ＴＤＭＡ））、ＧＳＭ（モバイル通信用グローバルシステム）、およびＩＳ−９５（符号分割多重アクセス（ＣＤＭＡ））、もしくはユニバーサル移動通信システム（ＵＭＴＳ）、ＣＤＭＡ２０００、広帯域ＣＤＭＡ（ＷＣＤＭＡ）、および時分割同期ＣＤＭＡ（ＴＤ−ＳＣＤＭＡ）といった、第３世代（３Ｇ）ワイヤレス通信プロトコル、Ｅ−ＵＴＲＡＮといった３．９Ｇワイヤレス通信プロトコル、第４世代（４Ｇ）ワイヤレス通信プロトコル、または同様のものに従って、動作することができてもよい。代替として（またはさらに）、携帯端末１０は、非セルラ通信機構に従って、動作することができてもよい。例えば、携帯端末１０は、図２に関連して以下で説明されたワイヤレスローカルエリアネットワーク（ＷＬＡＮ）、または他の通信ネットワークと通信することができてもよい。
【００２６】
ある実施形態において、コントローラ２０は、携帯端末１０のオーディオおよび論理機能を実装するために望ましい回路を備えてもよい。例えば、コントローラ２０は、デジタル信号プロセッサデバイス、マイクロプロセッサデバイス、および様々なアナログ／デジタル変換器、デジタル／アナログ変換器、ならびに他のサポート回路から構成されてもよい。携帯端末１０の制御および信号処理機能は、それらのそれぞれの能力に従って、これらのデバイス間で割り当てられる。このため、コントローラ２０はまた、変調および送信の前に、メッセージおよびデータを畳み込みにより符号化し、インタリーブするための機能を備えてもよい。コントローラ２０はさらに、内蔵の音声エンコーダを備えてもよく、内蔵のデータモデムを備えてもよい。さらに、コントローラ２０は、メモリに記憶されうる１つ以上のソフトウェアプログラムを動作させるための機能を備えてもよい。例えば、コントローラ２０は、既知のウェブブラウザのような接続プログラムを動作させることができてもよい。そして接続プログラムは、携帯端末１０が、例えば、ワイヤレスアプリケーションプロトコル（ＷＡＰ）、ハイパーテキスト転送プロトコル（ＨＴＴＰ）、および／または同様のものに従って、場所ベースのコンテンツおよび／または他のウェブページコンテンツといったウェブコンテンツを送信および受信することを可能にしてもよい。
【００２７】
携帯端末１０はまた、従来のイヤホンまたはスピーカ２４、リンガ２２、マイクロホン２６、ディスプレイ２８といった、出力デバイスを有するユーザインターフェースや、ユーザ入力インターフェースを備えてもよく、それらの全ては、コントローラ２０に接続される。携帯端末１０がデータを受信することを可能にする、ユーザ入力インターフェースは、キーパッド３０、タッチディスプレイ（図示せず）、または他の入力デバイスといった、携帯端末１０がデータを受信することを可能にする多くのデバイスのうちのいずれかを備えてもよい。キーパッド３０を含む実施形態において、キーパッド３０は、従来の数字（０〜９）および関連キー（＃、＊）、ならびに携帯端末１０を動作させるために使用される他のハードおよびソフトキーを備えてもよい。代替的に、キーパッド３０は、従来のＱＷＥＲＴＹキーパッド配置を備えてもよい。キーパッド３０はまた、関連する機能を伴う様々なソフトキーを備えてもよい。加えて、または代替的に、携帯端末１０は、ジョイスティックまたは他のユーザ入力インターフェースといった、インターフェースデバイスを備えてもよい。携帯端末１０は、携帯端末１０を動作させるために必要とされる様々な回路に電力を供給するためのバッテリ３４をさらに備える。このバッテリは、知覚可能な出力として機器的振動を提供するための振動バッテリパックでもよい。
【００２８】
携帯端末１０は、ユーザ識別モジュール（ＵＩＭ）３８をさらに備えてもよい。ＵＩＭ３８は、典型的に、内蔵されたプロセッサを有するメモリデバイスである。ＵＩＭ３８は、例えば、加入者識別モジュール（ＳＩＭ）、ユニバーサル集積回路カード（ＵＩＣＣ）、ユニバーサル加入者識別モジュール（ＵＳＩＭ）、着脱可能なユーザ識別モジュール（Ｒ−ＵＩＭ）等を備えてもよい。通常、ＵＩＭ３８は移動通信加入者に関する情報要素を記憶する。ＵＩＭ３８に加えて、携帯端末１０は、メモリを具備してもよい。例えば、携帯端末１０は、データの一時的記憶のためのキャッシュ領域を含む、揮発性ランダムアクセスメモリ（ＲＡＭ）のような揮発性メモリ４０を備えてもよい。携帯端末１０はまた、内蔵の又は着脱可能でありうる他の非揮発性メモリ４２を備えてもよい。これらのメモリは、携帯端末１０の機能を実装するべく、携帯端末１０によって使用される多くの情報片やデータのいずれをも記憶してもよい。例えばメモリは、携帯端末１０を一意的に識別しうる国際携帯機器識別（ＩＭＥＩ）コードのような識別子を格納してもよい。さらにメモリは、セルＩＤ情報を決定するための命令を記憶してもよい。具体的には、メモリは、コントローラ２０に実行されることにより、携帯端末１０が通信する現在のセルの識別情報（例えばセルＩＤ識別子やセルＩＤ情報）を決定する、アプリケーションプログラムを記憶してもよい。
【００２９】
図２は、本発明の例示的な実施形態に従う、ワイヤレス通信システムの概略的ブロック図である。図２を参照すると、本発明の実施形態から利益を享受するであろう１つのタイプのシステムの例示が提供される。図２に示されるように、本発明の例示的な実施形態に従うシステムは、ネットワーク４６と通信しうる通信デバイス（例えば携帯端末１０）を含む。携帯端末１０は、ネットワークデバイスと相互に通信しうる（またはネットワーク４６を介して相互に通信しうる）、システムの複数の通信デバイスのうちの１つの例であってもよい。
実施例によっては、ネットワーク４６の機能の様々な特徴が、１つ以上のネットワークデバイスによって管理されてもよい。例として、ネットワーク４６は、（恐らく、とりわけ）ネットワーク管理機能を遂行することに関与しうるネットワーク管理システム４８を備えてもよい。そのようなものとして、例示的な実施形態のネットワーク管理システム４８は、以下でさらに詳細に説明されるように、モビリティ管理およびゲートウェイ機能を備えてもよい。
【００３０】
例示的な実施形態において、ネットワーク４６は、対応する有線および／またはワイヤレスインターフェースを介して相互に通信しうる多様なノードやデバイス、機能の集合を含む。そのようなものとして、図２の例示は、システムの特定の要素の幅広い見方の例であり、システムまたはネットワーク４６の包括的または詳細な図ではないと理解されるべきである。必要ではないが、ある実施形態において、ネットワーク４６は、多くの第１世代（１Ｇ）、第２世代（２Ｇ）、２．５Ｇ、第３世代（３Ｇ）、３．５Ｇ、３．９Ｇ、第４世代（４Ｇ）携帯通信プロトコル、ロング・ターム・エボリューション（ＬＴＥ）、および／または同様のもののうちの任意の１つ以上に従って、通信をサポートすることができてもよい。
【００３１】
携帯端末１０および他の通信デバイスのような、１つ以上の通信端末は、ネットワーク４６を介して相互と通信することができてもよい。これらの各々は、ベースサイトへ信号を送信するため、およびそこから信号を受信するためのアンテナ（単数または複数）を備えてもよい。このベースサイトは、１つ以上のセルラネットワークもしくはモバイルネットワークの一部でありうる基地局か、ローカルエリアネットワーク（ＬＡＮ）やメトロポリタンエリアネットワーク（ＭＡＮ）、および／またはインターネットのようなワイドエリアネットワーク（ＷＡＮ）等のデータネットワークに接続されうるアクセスポイントの一部ありうる基地局であってもよい。同様に、処理デバイスまたは要素（例えばパーソナルコンピュータ、サーバコンピュータ、もしくは同様のもの）のような、他のデバイスが、ネットワーク４６を介して携帯端末１０および他の通信デバイスに接続されてもよい。携帯端末１０および他の通信デバイスをネットワーク４６に直接または間接的に接続することによって、携帯端末１０および他の通信デバイスは、例えば、ＷＡＰ、ＨＴＴＰ、および／または同様のものを含む多数の通信プロトコルに従って、ネットワークデバイスおよび／または相互と通信することができ、それによって、それぞれ、携帯端末１０および他の通信デバイスの様々な通信または他の機能を実行してもよい。
【００３２】
さらに、図２には示されていないが、携帯端末１０は、例えば、無線周波数（ＲＦ）、Ｂｌｕｅｔｏｏｔｈ（ＢＴ）、赤外線（ＩＲ）、またはＬＡＮ、ワイヤレスＬＡＮ（ＷＬＡＮ）、ユニバーサルシリアルバス（ＵＳＢ）、マイクロ波アクセスの国際的相互運用性（ＷｉＭＡＸ）、ＷｉＦｉ、超広帯域（ＵＷＢ）、Ｗｉｂｒｅｅ技術、及び／又は同様のものを含む、多くの異なる有線もしくはワイヤレス通信技術のうちのいずれかに従って、通信してもよい。そのようなものとして、携帯端末１０は、多数の異なるアクセス機構のうちのいずれかによって、ネットワーク４６および他のデバイスと通信することができてもよい。例えば、広帯域符号分割多重アクセス（Ｗ−ＣＤＭＡ）、ＣＤＭＡ２０００、モバイル通信用グローバルシステム（ＧＳＭ）、汎用パケット無線サービス（ＧＰＲＳ）、および／または同様のもののような、モバイルアクセス機構、ならびにＷＬＡＮ、ＷｉＭＡＸ、および／または同様のもののようなワイヤレスアクセス機構、ならびにデジタル加入者線（ＤＳＬ）、ケーブルモデム、イーサネット、および／または同様のもののような固定アクセス機構がサポートされてもよい。
【００３３】
例示的な実施形態において、ネットワーク管理システム４８は、デバイス、ノード、またはサーバ、コンピュータ、もしくは他のネットワークデバイスのようなデバイスおよびノードの集合であってもよい。ネットワーク管理システム４８は、任意の数の機能、または様々なサービスとの関連性を有してもよい。そのようなものとして、例えば、ネットワーク管理システム４８は、特定の情報源もしくはサービス（例えばネットワーク管理サービス）と関連付けられる専用サーバ（またはサーババンク）のような、プラットフォームであってもよく、またはネットワーク管理システム４８は、１つ以上の他の機能もしくはサービスと関連付けられるバックエンドサーバであってもよい。そのようなものとして、ネットワーク管理システム４８は、複数の異なるネットワーク管理サービスのための潜在的ホストを表す。ある実施形態において、ネットワーク管理システム４８の機能は、ネットワーク４６へのネットワーク管理サービスの提供のための既知の技術に従って動作するように構成されたハードウェアおよび／またはソフトウェア構成要素によって提供される。しかし、ネットワーク管理システム４８によって提供される機能のうちの少なくともいくつかは、本発明の例示的な実施形態に従って提供されてもよい。
【００３４】
ここで、記憶済み一時的情報の表示子をリダイレクトの際に用いるシステムのある要素が表示される図３を参照して、本発明の例示的な実施形態を説明する。図３のシステムは、図２に表示される一般的なネットワークのような、ネットワークの特定の実施形態を表すが、図３は、フォールバックオプション（例えばＣＳフォールバック）の提供に関与しうるＥ−ＵＴＲＡＮや他のレガシーＲＡＴの、一般的なブロック図を図示している点は異なっている。そのようなものとして、図３に関連して、ユーザ機器（ＵＥ）５０は、図１および２の携帯端末１０の一実施形態の例であってもよく、ｅＮＢ（Ｅ−ＵＴＲＡＮノードＢ）５２および５３は、基地局またはアクセスポイントの例であってもよい。これらの基地局またはアクセスポイントは、ネットワーク３０内のセルや領域にサービスを提供し、他のｅＮＢやＮＢ、基地局、もしくはアクセスポイントとともに、モバイルユーザの使用のためにネットワーク４６により提供される範囲を規定する。しかし、図３のシステムはまた、移動および固定の両方の多様な他のデバイスと関連して採用されてもよく、したがって、本発明の実施形態は、図１の携帯端末１０、または図２および３のネットワークデバイスのような機器のための用途に限定されるべきではないということに留意されたい。さらに、Ｅ−ＵＴＲＡＮ構成要素や他のレガシーＲＡＴを例示する図３が、本発明の実施形態が採用されてもよい１つのタイプのアーキテクチャの例に過ぎないことを理解されるべきである。
【００３５】
ここで、図３を参照すると、システムはＥ−ＵＴＲＡＮ５６を含んでいる。Ｅ−ＵＴＲＡＮ５６は、とりわけ、進化型パケットコア（Ｅｖｏｌｖｅｄ  Ｐａｃｋｅｔ  Ｃｏｒｅ；ＥＰＣ）５８と通信する複数のノードＢを備えうる。進化型パケットコア（ＥＰＣ）５８は、１つ以上のモビリティ管理エンティティ（ＭＭＥ）、および１つ以上のシステムアーキテクチャエボリューション（ＳＡＥ）ゲートウェイを備えてもよい。ノードＢは、Ｅ−ＵＴＲＡＮノードＢ（例えばｅＮＢ５２およびｅＮＢ５３）であってもよく、また、ＵＥ５０および他のＵＥと通信してもよい。Ｅ−ＵＴＲＡＮ５６はＥＰＣ５８と通信してもよい。例示的な実施形態において、図２のネットワーク管理システム４８は、ＥＰＣ５８内および／またはレガシーＲＡＴノード５５内のデバイスまたはデバイスのグループの例であって、本発明の例示的な実施形態を採用するように構成されるデバイスまたはデバイスのグループの例であってもよい。
【００３６】
ｅＮＢ５２および５３は、ＵＥ５０に対する、Ｅ−ＵＴＲＡユーザプレーンおよび制御プレーン（無線リソース制御（ＲＲＣ））プロトコルの終端を提供してもよい。ｅＮＢ５２および５３は、無線リソース管理、無線ベアラ制御、無線許可制御、接続モビリティ制御、アップリンクおよびダウンリンクの両方におけるＵＥへのリソースの動的割当、ＵＥアタッチメントにおけるＭＭＥの選択、ＩＰヘッダ圧縮および暗号化、ページングおよびブロードキャスト情報のスケジューリング、データのルーティング、構成モビリティに対する測定および測定報告、ならびに同様の機能をホストする機能を提供してもよい。
【００３７】
ＭＭＥは、各ノードＢへのメッセージの分配、セキュリティ制御、アイドル状態モビリティ制御、ＥＰＳ（進化型パケットシステム）ベアラ制御、（非アクセス層）ＮＡＳシグナリングの暗号化および完全性保護、ならびに同様のもののような、機能をホストしてもよい。ＳＡＥゲートウェイは、ページングのためのあるパケットの終端および切替、ならびにＵＥのモビリティサポートのような機能をホストしてもよい。例示的な実施形態において、ＥＰＣ５８は、インターネットのようなネットワークへの接続を提供してもよい。
【００３８】
図３に示されるように、ＵＥ５０はまた、レガシーＲＡＴノード５５を介して、レガシーコア５４と通信することができてもよい。レガシーＲＡＴノード５５は、例えば、レガシーＲＡＴと関連付けられるアクセスポイントやノード、基地局（例えば無線ネットワーク制御装置ＲＮＣまたはノードＢ）であってもよい。例示的な実施形態において、レガシーＲＡＴはＣＳドメインＲＡＴと考えられてもよい。そのようなものとして、例えば、ＵＥ５０がＥＰＳのｅＮＢ５２または５３と通信し、かつＣＳサービス表示子（例えばページ、ＣＳサービス要求、または同様のもののような、着信または発信ＣＳサービス表示子）が検出された場合、ＵＥ５０は、ハンドオーバ（例えばＰＳハンドオーバ）を行うことが可能である。またはＵＥ５０は、レガシーＲＡＴノード５５との通信に切り替えることによって、ＣＳドメインにリダイレクトされてもよい。このため、ＵＥ５０は、ＬＴＥサービスに関係しないサービス表示子に応答して、レガシーＲＡＴノード５５との通信に切り替えることにより、ＣＳフォールバック機能を利用することが可能であってもよい。
【００３９】
例示的な実施形態において、リダイレクトは、上で説明されるコンテクストまたは他のコンテクストにおいて実装されてもよい。その実装環境において、ネットワークは、リダイレクトの実装に関して使用するために、ＵＥ５０に一時的情報を提供する。情報の提供は、例えばネットワーク管理システム４８を介して行われることができる。その一時的情報は、例えば仮の隣接セルリストであることができる。ＵＥ５０は、ある時点まで一時的情報を使用してもよい。例えば、ターゲットＲＡＴとの間で接続が確立されるまで使用してもよい。（この接続は、例えば図３のｅＮＢ５３からレガシーＲＡＴノード５５を介して確立されてもよい。）次にＵＥ５０は、ＵＥ５０がある時点に到達した後、一時的情報を記憶していることを、ネットワークに通知してもよい。例示的な実施形態において、ＵＥ５０が提供するネットワークへの通知は、一時的記憶情報インジケータ（例えばアップリンクシグナリングにおけるフラグまたは１ビットフィールド）によって行われてもよい。ＵＥ５０が、仮の隣接セルリストのような一時的情報を記憶しているということをネットワークに示す、一時的記憶情報インジケータの受信に応答して、ネットワークは、一時的情報の非一時的情報（例えば完全隣接リスト）との置換を開始するかどうかを決定してもよい。それと共に（または択一的に）、ネットワークは、当該インジケータに基づいて、ＲＲＣ接続確立手続の間にＵＥをＣＥＬＬ  ＤＣＨ状態もしくはＣＥＬＬ  ＦＡＣＨ状態に移行することを開始するかどうかを決定してもよい。このため、ネットワークを実装するにあたって、大きな実装努力が必要となりかねない（ネットワーク支援型セル変更のための）ＲＩＭまたは他の機構を実装することを回避することができ、ＵＥ５０は、デファード測定機構の使用を回避することができる。
【００４０】
図４は、本発明の例示的な実施形態を遂行するように構成される装置の一例のブロック図を示す。この点において、例えば、本発明の例示的な実施形態に従う装置であって、記憶済み一時的情報の表示子（記憶済み一時的情報を表す情報）をリダイレクトの際に用いる装置は、例えば、ネットワークの装置として具現化または採用されてもよい。このネットワークの装置とは、例えばネットワーク管理システム４８、レガシーＲＡＴノード５５内のデバイス、またはＥＰＣ５８内のデバイスでありうる。上記装置は、プロセッサ７０や通信インターフェース７４、メモリデバイス７６を備えてもよい。また、それらと通信してもよい。メモリデバイス７６は、例えば、１つ以上の揮発性および／または非揮発性メモリを備えてもよい。換言すると、例えば、メモリデバイス７６は、機器（例えばコンピューティングデバイス）によって検索可能でありうるデータ（例えばビット）を記憶するように構成されるゲートを備える、電子記憶デバイス（例えば非一時的コンピュータ可読記憶媒体）であってもよい。メモリデバイス７６は、装置が、本発明の例示的な実施形態に従う、様々な機能を行うことを可能にするための情報、データ、アプリケーション、命令、または同様のものを記憶するように構成されてもよい。例えば、メモリデバイス７６は、プロセッサ７０による処理のための入力データをバッファするように構成され得る。さらに、または代替的に、メモリデバイス７６は、プロセッサ７０により実行されるための命令を記憶するように構成されてもよい。
【００４１】
プロセッサ７０は、多くの異なる方法で具現化されてもよい。例えば、プロセッサ７０は、コプロセッサ、マイクロプロセッサ、コントローラ、デジタル信号プロセッサ（ＤＳＰ）、ＤＳＰ搭載または非搭載の処理要素を含む、１つまたは複数の様々な処理手段として具現化されることができる。またプロセッサ７０は、例えばＡＳＩＣ（特定用途向け集積回路）やＦＰＧＡ（フィールドプログラマブルゲートアレイ）、マイクロコントローラユニット（ＭＣＵ）、ハードウェアアクセラレータ、特殊用途コンピュータチップ、処理回路のような集積回路を含む、様々な処理デバイスとして具現化されてもよい。例示的な実施形態において、プロセッサ７０は、メモリデバイス７６に記憶された（またはプロセッサ７０にアクセス可能な）命令を実行するように構成されてもよい。代替的に、またはさらに、プロセッサ７０は、ハードコードされた機能を実行するように構成されてもよい。そのようなものとして、ハードウェアもしくはソフトウェア方法によって、またはそれらの組み合わせによって構成されるかどうかにかかわらず、プロセッサ７０は、本発明の実施形態に従う処理を遂行しうる構成要素（例えば回路に物理的に具現化される構成要素）を表す。プロセッサ７０はそのように適宜構成される。このため、例えば、プロセッサ７０が、ＡＳＩＣ、ＦＰＧＡ、または同様のものとして具現化される時、プロセッサ７０は、本明細書で説明される処理を実行するために特に構成されたハードウェアであってもよい。プロセッサ７０は、ソフトウェア命令の実行要素として具現化されてもよく、その場合は、当該命令は、実行されることによって、本明細書において説明されるアルゴリズムおよび／または処理を遂行するようにプロセッサ７０を構成しうる。実施例によっては、プロセッサ７０は、例えば携帯端末１０やネットワークデバイスなどあるデバイスのプロセッサであってもよく、本明細書で説明されるアルゴリズムや処理を遂行するための命令によって、本発明の実施形態を実装するように構成されてもよい。プロセッサ７０は、とりわけ、プロセッサ７０の動作をサポートするように構成されたクロック、演算論理ユニット（ＡＬＵ）、および論理ゲートを備えてもよい。
【００４２】
一方で、通信インターフェース７４は、ネットワークや装置と通信する任意のデバイス・モジュールとの間でデータを送受信するように構成される、任意の手段であることができる。この手段は、ハードウェアやソフトウェア、ハードウェアとソフトウェアの組み合わせのいずれかによって具現化されうるデバイスや回路のような手段であることができる。この点において、通信インターフェース７４は、例えば、アンテナ（または多重アンテナ）を備えることができ、また、無線通信ネットワークとの間の通信をサポートするためのハードウェア及び／又はソフトウェアを備えてもよい。ある環境において、通信インターフェース７４は有線通信をサポートしてもよい。そのようなものとして、例えば、通信インターフェース７４は、ケーブルやデジタル加入者回線（ＤＳＬ）、ユニバーサルシリアルバス（ＵＳＢ）などのメカニズムによる通信をサポートするための、通信モデムなどのハードウェアやソフトウェアを備えてもよい。
【００４３】
例示的な実施形態において、プロセッサ７０は、一時的に記憶された情報のインジケータに応答する要素８０、またはインジケータサポートハンドラ８４として具現化されるか、それらを含むか、またはそれらを制御してもよい。そのようなものとして、ある実施形態において、プロセッサ７０は、本明細書において説明されるように、一時的記憶情報インジケータ応答要素８０およびインジケータサポートハンドラ８４に起因する様々な機能の実行または発生を生じさせるか、指示するか、または制御すると表現されてもよい。一時的記憶情報インジケータ応答要素８０やインジケータサポートハンドラ８４は、それぞれ、ソフトウェアに従って動作するデバイスや回路であったり、ハードウェアで実装されたり、ソフトウェア及びハードウェアの組み合わせによって具現化されたりする如何なる手段であってもよい。例えば、ソフトウェア制御下で動作するプロセッサ７０であったり、本明細書で説明される処理を遂行するように特に構成されるＡＳＩＣやＦＰＧＡとして具現化されるプロセッサ７０であったり、またはそれらの組み合わせであったりすることができ、それによって、本明細書において説明されるような、一時的記憶情報インジケータ応答要素８０およびインジケータサポートハンドラ８４の対応する機能をそれぞれ遂行するように、デバイスまたは回路を構成する。このため、ソフトウェアが用いられる例において、ソフトウェアを実行するデバイスまたは回路（例えば一例におけるプロセッサ７０）は、かかる手段に関連付けられる構造を形成する。
【００４４】
図４において、インジケータサポートハンドラ８４は破線で例示され、一時的記憶情報インジケータ応答要素８０は別の破線およびドットで例示されている。これは、装置がレガシーＲＡＴノード５５として具現化される時は、一時的記憶情報インジケータ応答要素８０しか備えない場合があり、装置がいずれかのｅＮＢとして具現化される時は、インジケータサポートハンドラ８４しか備えない場合があることを表すためである。
【００４５】
レガシーＲＡＴノード５５として具現化されうる一時的記憶情報インジケータ応答要素８０は、ＵＥ５０から一時的記憶情報インジケータを受信し、当該一時的記憶情報インジケータによって報告される、ＵＥ５０に記憶されている一時的情報を置換するための、非一時的な情報（例えば完全隣接セルリスト）を提供するかどうかを決定するように構成されてもよい。それと共に、または別の選択肢として、ネットワークは、一時的記憶情報インジケータの状態に基づいて、ＲＣ接続確立手続の間にＵＥ５０をＣＥＬＬ  ＤＣＨ状態もしくはＣＥＬＬ  ＦＡＣＨ状態に移行することを開始すべきかどうかを決定してもよい。ある実施形態において、ｅＮＢ５２および５３のいずれか１つ以上によって具現化されうるインジケータサポートハンドラ８４は、ＵＥ５０に、一時的記憶情報インジケータをサポートすることを表す情報を提供するようにさらに構成されてもよい。すなわちネットワークは、当該ネットワークが一時的記憶情報（例えば仮の隣接セルリスト）を非一時的情報（例えば完全隣接セルリスト）に置換することをサポートすることを、ＵＥ５０に通知することができてもよい。それによって、ＵＥ５０は、適切な状況下で一時的記憶情報インジケータを送信すべきかどうかを予め知ることができる。ある実施形態において、様々な条件付きパラメータが、一時的記憶情報インジケータと関連付けられてもよい。例えば、実施例によっては、一時的記憶情報インジケータは、ＵＥ５０がシステム情報コンテナ（例えば一時的情報）を記憶するということを単に示してもよい。一方、他の場合においては、一時的記憶情報インジケータは、ある特定のイベントが発生したこと又は発生していないということを示してもよい。例えば、ＵＥ５０が、サービングセルからＳＩＢ１１、１１ｂｉｓ、もしくは１２をまだ取得していないが、それらのうちの少なくとも１つはターゲットセル上で既にスケジュールされていることを示していてもよい。ネットワークが一時的記憶情報の非一時的情報への置換をサポートすることを示す上記のサポート表示子は、新たな、または既存の情報要素として実装されてもよい。換言すると、既存のフラグやメッセージ部分、ビットは、実施例によっては、サポート表示子として用いられてもよい。一方、別の場合では、新たなフラグやメッセージ部分、ビットが、サポート表示子として使用されるために設けられてもよい。どのようにサポート表示子および一時的記憶情報インジケータが実際に実装されるかにかかわらず、一時的記憶情報インジケータ応答要素８０は、一時的記憶情報インジケータを検出して適宜応答するように構成されることができ、インジケータサポートハンドラ８４は、上記のサポート表示子を生成するように構成されることができる。
【００４６】
図５は、本発明の例示的な実施形態を遂行するように構成された端末側の装置の一例のブロック図を示す。この点において、例えば、携帯端末１０またはＵＥ５０観点からの、本発明の例示的な実施形態に従う装置であって、記憶済み一時的情報の表示子（記憶済み一時的情報を表す情報）をリダイレクトの際に用いる装置は、プロセッサ７０'、ユーザインターフェース７２、通信インターフェース７４'、およびメモリデバイス７６'を備えてもよい。またはそれらと通信してもよい。プロセッサ７０'や通信インターフェース７４'，メモリデバイス７６'は、機能および基本構造において、ネットワーク側の装置のプロセッサ７０、通信インターフェース７４、およびメモリデバイス７６に関して上で提供される説明と、実質的に類似していてもよい（しかし、意味的な及び／又はスケールの違いがある場合はあるだろう）。このため、これらの構成要素の説明は、繰り返さない。
【００４７】
ユーザインターフェース７２は、プロセッサ７０'と協働して、ユーザインターフェース７２においてユーザ入力を表す情報を受信したり、聴覚的、視覚的、機器的、もしくは他の出力をユーザに提供したりするように構成されてもよい。そのようなものとして、ユーザインターフェース７２は、例えば、キーボード、マウス、ジョイスティック、ディスプレイ、タッチ画面、ソフトキー、マイクロホン、スピーカ、または他の入力／出力機構を備えてもよい。ある例において、プロセッサ７０'は、例えば、スピーカ、リンガ、マイクロホン、ディスプレイ、および／または同様のもののような、ユーザインターフェースの１つ以上の要素のうちの少なくともいくつかの機能を制御するように構成されたユーザインターフェース回路を備えてもよい。プロセッサ７０'および／またはプロセッサ７０'を備えるユーザインターフェース回路は、プロセッサ７０'にアクセス可能なメモリ（例えばメモリデバイス７６'、および／または同様のもの）上に記憶されるコンピュータプログラム命令（例えばソフトウェアおよび／またはファームウェア）を通じて、ユーザインターフェースの１つ以上の要素の１つ以上の機能を制御するように構成されてもよい。
【００４８】
例示的な実施形態において、プロセッサ７０'は、一時的記憶情報インジケータ生成器８２として具現化されるか、それを含むか、またはそれを制御してもよい。そのようなものとして、ある実施形態において、プロセッサ７０'は、本明細書において説明されるように、一時的記憶情報インジケータ生成器８２に起因する様々な機能の実行または発生を生じさせるか、指示するか、または制御すると表現されてもよい。一時的記憶情報インジケータ生成器８２は、ソフトウェアに従って動作するデバイスや回路であったり、ハードウェアで実装されたり、ソフトウェア及びハードウェアの組み合わせによって具現化されたりする如何なる手段であってもよい。例えば、ソフトウェア制御下で動作するプロセッサ７０'であったり、本明細書で説明される処理を遂行するように特に構成されるＡＳＩＣやＦＰＧＡとして具現化されるプロセッサ７０'であったり、またはそれらの組み合わせであったりすることができ、それによって、本明細書において説明されるような、一時的記憶情報インジケータ生成器８２の対応する機能をそれぞれ遂行するように、デバイスまたは回路を構成する。このため、ソフトウェアが用いられる例において、ソフトウェアを実行するデバイスまたは回路（例えば一例におけるプロセッサ７０'）は、かかる手段に関連付けられる構造を形成する。
【００４９】
一時的記憶情報インジケータ生成器８２は、ＵＥ５０が一時的記憶情報インジケータ応答要素８０に一時的記憶情報インジケータを提供するように構成されてもよい。ある実施形態において、一時的記憶情報インジケータ生成器８２は、アップリンクＲＲＣメッセージ（例えばＲＲＣ接続セットアップ完了メッセージまたはＲＲＣ接続要求メッセージ）に一時的記憶情報インジケータを含めるように構成されてもよい。または、別様に、ＵＥ５０が一時的情報を記憶するという表示子として、一時的記憶情報インジケータを含めるように構成されてもよい。ある実施形態において、一時的記憶情報インジケータ生成器８２は、インジケータサポートハンドラ８４からの、一時的記憶情報インジケータをサポートするとの表示子の受信に応答して、一時的記憶情報インジケータを提供するようにさらに構成されてもよい。ある実施形態において、様々な条件付きパラメータが、一時的記憶情報インジケータと関連付けられてもよい。例えば、実施例によっては、一時的記憶情報インジケータは、ＵＥ５０がシステム情報コンテナ（例えば一時的情報）を記憶するということを単に示してもよい。一方、他の場合においては、一時的記憶情報インジケータは、ある特定のイベントが発生したこと又は発生していないということを示してもよい。例えば、ＵＥ５０が、サービングセルからＳＩＢ１１、１１ｂｉｓ、もしくは１２をまだ取得していないが、それらのうちの少なくとも１つはターゲットセル上で既にスケジュールされていることを示していてもよい。一時的記憶情報インジケータは、新たな、または既存の情報要素として実装されてもよい。換言すると、実施例によっては、既存のフラグまたはビットが一時的記憶情報インジケータとして用いられてもよい。一方、別の場合では、新たなフラグまたはビットが一時的記憶情報インジケータとして使用されるために設けられてもよい。どのように一時的記憶情報インジケータが実際に実装されるかにかかわらず、一時的記憶情報インジケータ生成器８２は、適切に、一時的記憶情報インジケータを生成するように構成されることができる。
【００５０】
図６は、本発明の例示的な実施形態を例示する基本的な流れ図である。ただしこの流れは柔軟なものであり、変更可能であり、以下で説明されるように、異なる実施形態とすることができるものである。図６に示されるように、Ｅ−ＵＴＲＡＮは、ターゲットセルに対するシステム情報コンテナを有するＲＲＣ  ＣＯＮＮＥＣＴＩＯＮ  ＲＥＬＥＡＳＥメッセージを送信してもよい（動作１００）。次にＵＥは、ターゲットセルにＵＥがキャンプする時に、システム情報コンテナによって与えられるＳＩＢＳを記憶してもよい（動作１１０）。ＵＥは、動作１２０において、ＲＲＣ  ＣＯＮＮＥＣＴＩＯＮ要求を送信してもよい。動作１３０において、ＵＥは、ネットワークからＲＲＣ  ＣＯＮＮＥＣＴＩＯＮ  ＳＥＴＵＰメッセージを受信してもよい。次にＵＥは、動作１４０において、ネットワークにＲＲＣ  ＣＯＮＮＥＣＴＩＯＮ  ＳＥＴＵＰ  ＣＯＭＰＬＥＴＥメッセージに返信してもよい。動作１５０において、ネットワークは、測定制御メッセージ（ＭＥＡＳＵＲＥＭＥＮＴ  ＣＯＮＴＲＯＬ  ｍｅｓｓａｇｅ）を介して、ＵＥに周波数内測定完全隣接セルリスト（ｃｏｍｐｌｅｔｅ  ｉｎｔｒａ−ｆｒｅｑｕｅｎｃｙ  ｍｅａｓｕｒｅｍｅｎｔ  ｎｅｉｇｈｂｏｒ  ｃｅｌｌ  ｌｉｓｔ）を提供してもよい。
次に、上記の基本的な処理の流れの様々な例示的な変形例を説明し、例示的な実施形態をさらに説明する。
【００５１】
第１の修正例において、動作１２０は、ＲＲＣ  ＣＯＮＮＥＣＴＩＯＮ  ＲＥＱＵＥＳＴが、ＵＥが一時的情報を記憶するということを示す、一時的記憶情報インジケータ（例えばシステム情報コンテナ記憶インジケータ／ＳＩコンテナ記憶インジケータ）を含むように生成されてもよい。かかる例において、動作１５０は、ネットワークが一時的記憶情報インジケータを受信することに応答して実行されてもよい。また動作１４０は、一時的記憶情報インジケータの状態に基づいて設定されうるＲＲＣ状態インジケータを用いて実行されてもよい。
【００５２】
第１の修正例において、動作１４０は、ＲＲＣ  ＣＯＮＮＥＣＴＩＯＮ  ＳＥＴＵＰ  ＣＯＭＰＬＥＴＥが、ＵＥが一時的情報を記憶するということを示す、一時的記憶情報インジケータ（例えばシステム情報コンテナ記憶インジケータ）を含むように生成されてもよい。かかる例において、動作１５０は、ネットワークが一時的記憶情報インジケータを受信することに応答して実行されてもよい。
【００５３】
第２の例において、動作１００のＲＲＣ  ＣＯＮＮＥＣＴＩＯＮ  ＲＥＬＥＡＳＥメッセージは、ターゲット無線ネットワークコントローラ（ＲＮＣ）が、ＵＥが一時的記憶情報インジケータを送信することを許すかどうかのサポート表示子を含んでもよい。（許されない場合はＵＥは一時的記憶情報インジケータを含めない。）第１の例で説明された修正がさらに適用可能であるが、その場合は動作１４０において、サポート表示子がＵＥによって受信されている必要がある。
【００５４】
第３の修正例において、動作１４０は、ＲＲＣ  ＣＯＮＮＥＣＴＩＯＮ  ＳＥＴＵＰ  ＣＯＭＰＬＥＴＥが、条件規定に従って生成されてもよい。この条件規定は、ＵＥはシステム情報コンテナを記憶しているが、サービングセルからＳＩＢ１１，１１ｂｉｓ，または１２を入手しておらず、一方これらのうち少なくとも１つはターゲットセル上でスケジュールされているという場合に、一時的記憶情報インジケータ（例えばシステム情報コンテナ記憶インジケータ）が含められるというものであることができる。かかる例において、動作１５０は、ネットワークが一時的記憶情報インジケータを受信することに応答して実行されてもよい。
【００５５】
第４の例において、動作１００のＲＲＣ  ＣＯＮＮＥＣＴＩＯＮ  ＲＥＬＥＡＳＥメッセージは、ターゲット無線ネットワークコントローラ（ＲＮＣ）が、ＵＥが一時的記憶情報インジケータを記憶することを許すかどうかのサポート表示子を含んでいてもよい。（許されない場合はＵＥは一時的記憶情報インジケータを含めない。）第３の例で説明された修正がさらに適用可能であるが、その場合は動作１４０において、サポート表示子がＵＥによって受信されている必要がある。
【００５６】
上で示されるように、一時的記憶情報インジケータおよびサポート表示子は、各々、既存のフラグもしくは情報要素であってもよいし、何らかの新たに作成されたフラグもしくは情報要素であってもよい。このため、例えば、一時的記憶情報インジケータは、「ＳＩコンテナ記憶インジケータ」のような新たな要素であってもよく、または「デファード測定制御読取値（deferred measurement control reading）」のような既存の要素であってもよい。別の例として、サポート表示子は、ＳＩＢ３において、「ＳＩコンテナ記憶インジケータＮＷサポート」インジケータ、または「デファード測定制御ＵＴＲＡＮサポート」インジケータであってもよい。実施形態によっては、既存の、および新たな要素の組み合わせが採用されてもよい。
【００５７】
このように、本発明の実施形態は、帯域節約を可能とする堅牢かつ柔軟な機構を提供しうる。帯域の節約は、リダイレクト手続のための仮の隣接セルリスト（例えば完全隣接セルリストの一部）の使用に関連しており、ＲＩＭやデファード測定特性を用いる必要がなくなっている。また実施形態によれば、通常、ＲＣ  ＣＯＮＮＥＣＴＩＯＮ  ＲＥＬＥＡＳＥメッセージが完全隣接セルリストを含む必要がないため、そのサイズを小さくすることを可能にしうる。
【００５８】
図７および８は、本発明の例示的な実施形態に従う、方法およびプログラムのフローチャートである。フローチャートの各ブロック、およびフローチャートにおけるブロックの組み合わせが、１つ以上のコンピュータプログラム命令を含む、ソフトウェアの実行に関連付けられる、ハードウェア、ファームウェア、プロセッサ、回路、および／または他のデバイスのような、様々な手段によって実装されてもよいことが理解されよう。例えば、上で説明される処理のうちの１つ以上は、コンピュータプログラム命令によって具現化されてもよい。この点に関し、上で説明される処理を具現化するコンピュータプログラム命令は、携帯端末またはネットワークデバイスのメモリデバイスによって記憶されてもよく、携帯端末またはネットワークデバイス内のプロセッサによって実行されてもよい。理解されるように、いかなるかかるコンピュータプログラム命令も、コンピュータまたは他のプログラム可能な装置上で実行する命令が、１又は複数のフローチャートブロックに示される機能を実装する手段を生成し、機器を形成するために、コンピュータまたは他のプログラム可能な装置（例えばハードウェア）上へロードされてもよい。これらのコンピュータプログラム命令はまた、コンピュータ可読メモリに記憶され、特定の様態で機能するように、コンピュータまたは他のプログラム可能な装置に命令してもよい。それによって、コンピュータ可読メモリ内に記憶される命令は、１つ又は複数のフローチャートブロックに示される機能を実装する命令手段を含む製品を形作る。コンピュータプログラム命令は、コンピュータまたは他のプログラム可能な装置上へロードされて、コンピュータ実装プロセスを生成する。それによって、コンピュータまたは他のプログラム可能な装置上で実行される命令は、１又は複数のフローチャートブロックに示される機能を実現するように、コンピュータまたは他のプログラム可能な装置上で遂行される一連の動作を生成する。
【００５９】
したがって、フローチャートのブロックは、指定された機能を遂行する手段の組み合わせ、指定された機能を遂行するための動作の組み合わせ、および指定された機能を遂行するためのプログラム命令手段をサポートする。フローチャートの１つ以上のブロック、およびフローチャートにおけるブロックの組み合わせは、指定された機能、または特殊用途ハードウェアおよびコンピュータ命令の組み合わせを遂行する、特殊用途ハードウェアベースのコンピュータシステムによって実装することができることもまた、理解されよう。
【００６０】
この点に関し、図７に示されるような、ネットワーク側観点からの一実施形態に従う方法は、一時的情報を含むシステム情報コンテナを携帯端末が記憶したことを示す一時的記憶情報インジケータを、携帯端末から受信することを含んでもよい（動作２１０）。上記方法は、一時的情報を非一時的情報と置換するかどうかを決定することをさらに含んでもよい。それと共に又は選択的に、ネットワークは、一時的記憶情報インジケータの受信に基づいて、ＲＲＣ接続確立手続の間にＵＥをＣＥＬＬ  ＤＣＨ状態もしくはＣＥＬＬ  ＦＡＣＨ状態に移行することを開始するかどうかを決定してもよい（動作２２０）。例示的な実施形態において、様々な初期処理が動作２００に含まれてもよく、これは、一時的記憶情報インジケータのためのサポート表示子を携帯端末に提供することを含んでもよい。例示的な実施形態において、動作２１０および２２０は、レガシーＲＡＴノード（例えばレガシーＲＡＴノード５５）によって、ネットワーク側で遂行されてもよい。一方、動作２００は、ｅＮＢ（例えばｅＮＢ５２もしくはｅＮＢ５３）によって、遂行されてもよい。
【００６１】
実施形態によっては、以下に説明するように、上の動作のいずれかが修正又は強化されてもよい。以下の修正又は強化の各々は、単独、または本明細書において説明される特性のうちの任意の他のものと組み合わせて、上の動作とともに含まれてもよいということを認識されたい。この点に関し、例えば、一時的記憶情報インジケータは、新たなフラグや情報要素であってもよいし、既存のフラグや情報要素であってもよい。同様に、サポート表示子も、新たなフラグや情報要素であってもよいし、既存のフラグや情報要素であってもよい。ある実施例では、一時的情報は、仮の隣接セルリストであって、完全隣接セルリストの一部であってもよい。非一時的情報は、完全隣接セルリストであってもよい。ある実施例では、一時的記憶情報インジケータを受信することは、ターゲットセルへの接続に関する条件規定が満たされることを示す情報を受信することを含んでもよい。
【００６２】
例示的な実施形態において、上の図７の方法を遂行するための装置は、上で説明される動作（２００〜２２０）のうちの一部または各々を遂行するように構成されたプロセッサ（例えばプロセッサ７０）を含んでもよい。プロセッサは、例えば、ハードウェア実装論理機能を遂行すること、記憶された命令を実行すること、または動作の各々を遂行するためのアルゴリズムを実行することによって、動作（２００〜２２０）を遂行するように構成されてもよい。代替的に、装置は、上で説明される動作の各々を遂行する手段を含んでもよい。この点に関し、例示的な実施形態によると、動作２００〜２２０を遂行する手段の例は、例えば、プロセッサ７０、一時的記憶情報インジケータ８０、インジケータサポートハンドラ８４、および／または命令を実行する、または上で説明される情報を処理するためのアルゴリズムを実行するための、デバイスもしくは回路を含んでもよい。
【００６３】
図８に示されるような、端末観点からの一実施形態に従う、代替的な方法は、動作３００において、少なくとも１つのターゲットセルに対するシステム情報コンテナを受信することを含んでもよい。上記方法は、動作３１０において、システム情報コンテナを記憶することをさらに含んでもよい。上記方法は、動作３２０において、携帯端末において、一時的情報を含むシステム情報コンテナを携帯端末が記憶したことを示す一時的記憶情報インジケータを生成することをさらに含んでもよい。
【００６４】
実施形態によっては、以下で説明されるように、上の動作のいずれかは、修正または強化されてもよい。以下の修正又は強化の各々は、単独、または本明細書において説明される特性のうちの任意の他のものと組み合わせて、上の動作とともに含まれてもよいということを認識されたい。この点に関し、例えば、システム情報コンテナを受信することは、一時的記憶情報インジケータのためのサポート表示子を受信することをさらに含んでもよい。ある実施形態において、一時的記憶情報インジケータは、新たなもしくは既存のフラグまたは情報要素であってもよい。同様に、サポート表示子は、新たなもしくは既存のフラグまたは情報要素であってもよい。ある実施例では、一時的情報は、仮の隣接セルリストであって、完全隣接セルリストの一部であってもよい。非一時的情報は、完全隣接セルリストであってもよい。実施例によっては、一時的記憶情報インジケータを生成することは、ターゲットセルへの接続に関する条件規定が満たされていることを示すインジケータを生成することを含んでもよい。ある実施形態において、一時的記憶情報インジケータを生成することは、サポート表示子の受信に応答して遂行されてもよい。
【００６５】
例示的な実施形態において、上の図８の方法を遂行するための装置は、上で説明される動作（３００〜３２０）のうちの一部または各々を遂行するように構成されたプロセッサ（例えばプロセッサ７０'）を備えてもよい。プロセッサは、例えば、ハードウェア実装論理機能を遂行すること、記憶された命令を実行すること、または動作の各々を遂行するためのアルゴリズムを実行することによって、動作（３００〜３２０）を遂行するように構成されてもよい。代替的に、装置は、上で説明される動作の各々を遂行する手段を備えてもよい。この点に関し、例示的な実施形態によると、動作３００〜３２０を遂行する手段の例は、例えば、プロセッサ７０'、一時的記憶情報生成器８２、および／または命令を実行する、または上で説明される情報を処理するためのアルゴリズムを実行するためのデバイスもしくは回路を含んでもよい。
【００６６】
例示的な実施形態に従う装置の例は、少なくとも１つのプロセッサと、コンピュータプログラムコードを含む少なくとも１つのメモリとを備えてもよい。少なくとも１つのメモリ、およびコンピュータプログラムコードは、少なくとも１つのプロセッサを用いて、装置に、動作２００〜２２０を遂行させるように構成されてもよい。動作２００〜２２０には、上で説明される修正および強化（の任意の組み合わせ）を伴ってもよいし、伴わなくともよい。
【００６７】
例示的な実施形態に従うコンピュータプログラム製品の例は、その中に記憶されるコンピュータが実行可能なプログラムコード部分を有する、少なくとも１つのコンピュータ可読記憶媒体を備えてもよい。コンピュータが実行可能なプログラムコード部分は、動作２００〜２２０を遂行するためのプログラムコード命令を含んでもよい。動作２００〜２２０には、上で説明される修正および強化（の任意の組み合わせ）を伴ってもよいし、伴わなくともよい。
【００６８】
別の例示的な実施形態に従う装置の例は、少なくとも１つのプロセッサと、コンピュータプログラムコードを含む少なくとも１つのメモリとを備えてもよい。少なくとも１つのメモリ、およびコンピュータプログラムコードは、少なくとも１つのプロセッサを用いて、装置に、動作３００〜３２０を遂行させるように構成されてもよい。動作３００〜３２０には、上で説明される修正および強化（の任意の組み合わせ）を伴ってもよいし、伴わなくともよい。
【００６９】
別の例示的な実施形態に従うコンピュータプログラム製品の例は、その中に記憶されるコンピュータが実行可能なプログラムコード部分を有する、少なくとも１つのコンピュータ可読記憶媒体を備えてもよい。コンピュータが実行可能なプログラムコード部分は、動作３００〜３２０を遂行するためのプログラムコード命令を備えてもよい。動作３００〜３２０には、上で説明される修正および強化（の任意の組み合わせ）を伴ってもよいし、伴わなくともよい。
【００７０】
これらの発明が属する当業者は、上述の説明や図面に提示される教示から利益を得ることができる。そして当業者においては、本明細書に記載された発明の多くの修正や実施形態が着想されるであろう。したがって、本発明が、開示される特定の実施形態に制限されるものではないこと、ならびに他の修正や実施形態が、添付の請求項の範囲内に包含されることが理解されるであろう。さらに、上述の説明および関連図面は、要素および／または機能の特定の例示的な組み合わせというコンテクストにおいて、例示的な実施形態を説明するが、要素および／または機能の別の組み合わせも、添付の請求項の範囲から逸脱することなく、別の実施形態によって提供され得ることを認識されたい。この点に関し、例えば、明示的に説明されたものとは異なる要素および／または機能の組み合わせもまた、添付の請求項の一部に含まれるものである。本明細書では具体的な用語が用いられてきたが、それらは、制限目的ではなく、一般的かつ説明的意味のみで使用される。
【図１】
0005504375.tif 000002
【図２】
0005504375.tif 000003
【図３】
0005504375.tif 000004
【図４】
0005504375.tif 000005
【図５】
0005504375.tif 000006
【図６】
0005504375.tif 000007
【図７】
0005504375.tif 000008
【図８】
0005504375.tif 000009